(57)【要約】【課題】標準品の筒形ヒューズに溶断表示装置を簡単に後付けできるように改良した端子付き筒形ヒューズの溶断表示装置取付け構造を提供する。【解決手段】溶断表示装置４の両端に備えた導電キャップ４ａの周面に嵌着した取付板５の脚片部５ａにダボ状突起５ｂを形成するとともに、このダボ状突起５ｂに対向して筒形ヒューズ１のＬ形端子３にはダボ穴３ａを形成し、該ダボ穴３ａに前記取付板５のダボ状突起５ｂを圧入して溶断表示装置５を着脱可能に組み付ける。【選択図】        図１
2009187686.tif 000002
【特許請求の範囲】
【請求項１】
Ｌ形端子付き筒形ヒューズに適用する溶断表示装置の取付け構造であって、該溶断表示装置の両端に備えた導電キャップの周面に嵌着した取付板の脚片部にダボ状突起を形成するとともに、このダボ状突起に対向して前記Ｌ形端子の板面にはダボ穴を形成し、該ダボ穴に前記取付板のダボ状突起を嵌め合わせて溶断表示装置を筒形ヒューズの端子板に着脱可能に導電結合したことを特徴とするＬ形端子付き筒形ヒューズの溶断表示装置取付け構造。
【発明の詳細な説明】
【技術分野】
【０００１】
本発明は、Ｌ形端子付き筒形ヒューズに適用する溶断表示装置の取付け構造に関する。
【背景技術】
【０００２】
頭記の筒形ヒューズには、その溶断動作状態を目視確認するための付属品として溶断表示装置（別名「溶断表示ヒューズ」）が用意されている（例えば、特許文献１参照）。
次に、前記筒形ヒューズに溶断表示装置を装着した従来の組立構造を図４に示す（例えば、非特許文献１参照）。図４（ａ）〜（ｄ）において、１はヒューズエレメント，消弧砂を内蔵したヒューズ筒の両端に導電キャップ２を被着してなる筒形ヒューズ、３は導電キャップ２にかしめ止めして筒形ヒューズ１の両端に結合したＬ形端子、４は筒形ヒューズ１の側方に組み付けて並列接続した溶断表示装置（溶断表示ヒューズ）、４ａはその溶断表示棒、５は溶断表示装置４を筒形ヒューズに組み付けるための取付板である。
ここで、筒形ヒューズ１の両端に被着した導電キャップ２の周面にはあらかじめスタッドボルト６が植設（溶接結合）されており、溶断表示装置４を組み付ける際には、その両端に配した導電キャップ４ｂの周面に巻き付けたヘアピン状の導電性の取付板５を前記スタッドボルト６にナット７で締結するようにしている。なお、溶断表示装置４の詳細な構造，溶断表示動作は特許文献１に述べられており、ここではその説明は省略する。
【特許文献１】特開平５−６２５８８号公報
【非特許文献１】オンライン製品カタログ「富士低圧限流ヒューズ」、２００７年４月発行、富士電機機器株式会社、［online］、[平成１９年１２月１７日検索]、インターネット＜ＵＲＬ： HYPERLINK "http://www.fujielectric.co.jp/fcs/jpn/edc/catalog2/EH300r.pdf/EH300r#all.pdf" http://www.fujielectric.co.jp/fcs/jpn/edc/catalog2/EH300r.pdf/EH300r#all.pdf＞、ページ41〜42／60
【発明の開示】
【発明が解決しようとする課題】
【０００３】
ところで、図４に示した従来の溶断表示装置取付け構造は次記のような問題点がある。
すなわち、筒形ヒューズのメーカーでは、溶断表示装置に対応しない標準形の筒形ヒューズと、溶断表示装置を装備した溶断表示装置付き筒形ヒューズの機種を別々に用意し、溶断表示装置付きの機種についてはその製造工程で図４に示したスタッドボルト６をヒューズ本体１の導電キャップ２に溶接しておき、顧客の注文に合わせて溶断表示装置４をこのスタッドボルト６に取り付けて製品を出荷するようにしている。これに対して、標準形のヒューズにはスタッドボルト６は設けてない。
このために、標準形の筒形ヒューズを購入したユーザーは、購入後に溶断表示装置をヒューズ本体に後付けすることができず、溶断表示装置を使用するには溶断表示装置付きの機種を改めて購入する必要がある。
そこで、本発明の目的は、ユーザーの利便性を考慮して標準形のヒューズでも溶断表示装置を簡単に後付けできるように改良した端子付き筒形ヒューズの溶断表示装置取付け構造を提供することにある。
【課題を解決するための手段】
【０００４】
上記目的を達成するために、本発明によれば、溶断表示装置の両端に備えた導電キャップの周面に嵌着した取付板の脚片部にダボ状突起を形成するとともに、このダボ状突起に対向して筒形ヒューズのＬ形端子にはダボ穴を形成し、該ダボ穴に前記取付板のダボ状突起を嵌め合わせて溶断表示装置を筒形ヒューズへ着脱可能に導電結合する。
【発明の効果】
【０００５】
上記構成によれば、筒形ヒューズのＬ形端子にあらかじ小さなダボ穴を形成しておくだけで、図４のスタッドボルト６を備えてない標準品の筒形ヒューズでも、必要に応じて溶断表示装置を取付板と組合せて簡単に後付けすることができる。
したがって、メーカーではヒューズ本体の端子板にダボ穴を形成した構造の筒形ヒューズを標準品として用意することで、溶断表示装置の使用，不使用のいずれにも対応できる。すなわち、ユーザーの注文に応じて標準品に溶断表示装置を取付けて出荷することも、また溶断表示装置無しの標準品を購入したユーザーは、必要に応じて溶断表示装置だけを別途購入し、ユーザーサイドで簡単に後付けして使用することが可能である。これにより、ユーザーへのサービス性向上が図れるほか、メーカーとしてもユーザーの使用形態に合わせて別な機種を用意する必要がなく、製品の製作，管理コストを低減できる。
【発明を実施するための最良の形態】
【０００６】
以下、本発明の実施の形態を図１〜図３に示す実施例に基づいて説明する。なお、実施例の図中で図４に対応する部材には同じ符号を付してその説明は省略する。
すなわち、図示実施例においては、筒形ヒューズ１の両端に配してその導電キャップ２にかしめ止めしたＬ形端子３に対し、図２（ａ），（ｂ）で示すように端子３の起立部板面には左右二カ所に分けて小径なダボ穴３ａをあらかじめ形成しておく。なお、このダボ穴３ａは貫通穴，あるいは凹状の窪み穴のいずれでもよい。一方、溶断表示装置４を筒形ヒューズ１に組み付ける際に用いる取付板５は、バネ性を有する導電板（例えば、ステンレス板）を図３に示す形状に成形した板金加工品になる。ここで、取付板５の上端側には溶断表示装置４の導電キャップ４ａに嵌着する円弧状のクリップ部を形成し、ここからＬ字形に屈曲して側方に延在する脚片部５ａには前記ダボ穴３ａに位置を合わせて左右に並ぶダボ状突起５ｂが叩き出し形成されている。なお、この取付板５は、筒形ヒューズ１への取付け位置に対応して前部用と後部用の２種類を用意しておく。
そして、筒形ヒューズ１に溶断表示装置４を組み付ける際には、前記取付板５の脚片部５ａを筒形ヒューズ１の前後側からＬ形端子３の起立部端面に重ね合わせ、ここでダボ状突起５ｂをＬ形端子３に形成したダボ穴３ａに嵌め合わせて圧入する。次に、筒形ヒューズ１の前後端に結合した２枚の取付板５の間に跨がってクリップ部に溶断表示装置４を嵌挿し、その両端に配した導電キャップ４ａに取付板５のクリップ部を嵌着して導電結合する。これにより、溶断表示装置４が取付板５を介して筒形ヒューズ１の側方に並列接続状態で組み付けられることになる。
【０００７】
なお、筒形ヒューズ１から溶断表示装置４を取り外す場合には、取付板５の脚片部５ａに形成したダボ状突起５ｂをＬ形端子５のダボ穴３ａから引き抜くことで簡単に取り外すことができる。
【図面の簡単な説明】
【０００８】
【図１】本発明の実施例による溶断表示装置の取付け構造図で、（ａ）は筒形ヒューズに溶断表示装置を取付けた状態の側面図、（ｂ）は同平面図、（ｃ）は（ａ）の端面図
【図２】図１における筒形ヒューズの導電キャップおよびＬ形端子の組立構造図で、（ａ），（ｂ）はそれぞれ端面図，および側面図
【図３】図１における溶断表示装置の取付板の外形斜視図
【図４】従来における溶断表示装置の取付構造図で、（ａ）は筒形ヒューズに溶断表示装置を取付けた組立状態の側面図、（ｂ）は同平面図、（ｃ）は（ａ）の端面図、（ｄ）は（ｃ）から溶断表示装置および取付板を外した状態を表す筒形ヒューズの端面図
【符号の説明】
【０００９】
１    筒形ヒューズ
２    導電キャップ
３    Ｌ形端子
３ａ  ダボ穴
４    溶断表示装置
４ａ  導電キャップ
５    取付板
５ａ  脚片部
５ｂ  ダボ状突起
【図１】
2009187686.tif 000003
【図２】
2009187686.tif 000004
【図３】
2009187686.tif 000005
【図４】
2009187686.tif 000006